(57)【要約】【課題】巻き取られたカバーテープをワンタッチで除去できるようにした巻取りリールの提供。【解決手段】第１フランジ８Ａのボス部９に外周面を三対の円弧面に分割する三対の溝を設ける一方、第２フランジ８Ｂには前記第１フランジと対面する側の面に下端部に左右一対のローラを軸着した円弧状の外周を有するセグメントＳからなる巻枠部材１３を３個それぞれ所定の角度間隔で半径方向に往復移動自在に配設して巻取り部を形成する。第２フランジを第１フランジに結合すると、３個の巻枠部材の各一対のローラ１２、１２′が三対の溝にそれぞれ一対づつ挿嵌されるように組み合わされると共に、この状態で第２フランジを周方向に所定角度回転させると、３個の巻枠部材がそれぞれの一対のローラを介して各一対の溝から第２フランジの回転方向前方側の各一対の円弧面上にそれぞれ乗り上がり、それら巻枠部材によって形成された巻取り部の外周が拡径される。【選択図】図４
2004296951.tif 000002
【特許請求の範囲】
【請求項１】
ボス部を備えた駆動側のフランジである第１のフランジと、これに着脱自在に結合される第２のフランジと、この第２フランジ側に設けられた拡縮可能な外周を有する巻取り部と、その外周を拡径した状態に保持する係止手段とを備えたテープフィーダにおけるカバーテープの巻取りリールにおいて、前記第１フランジのボス部に外周面を三対の円弧面に分割する三対の溝を設ける一方、前記第２フランジには前記第１フランジと対面する側の面に下端部に左右一対のローラを軸着した円弧状の外周を有するセグメントからなる巻枠部材を３個それぞれ所定の角度間隔で半径方向に往復移動自在に配設して巻取り部を形成したこと、及び、前記第２フランジを前記第１フランジに結合すると、前記３個の巻枠部材の各一対のローラが前記三対の溝にそれぞれ一対づつ挿嵌されるように組み合わされるとともに、このように組み合わされた状態において該第２フランジを周方向に所定角度回転させると、前記３個の巻枠部材がそれぞれの一対のローラを介して各一対の溝から該第２フランジの回転方向前方側の各一対の円弧面上にそれぞれ乗り上がり、これによりそれら巻枠部材によって形成された前記巻取り部の外周が拡径されるようにしたことを特徴とする巻取りリール。
【請求項２】
ボス部を備えた駆動側のフランジである第１のフランジと、これに着脱自在に結合される第２のフランジと、この第２フランジ側に設けられた拡縮可能な外周を有する巻取り部と、その外周を拡径した状態に保持する係止手段とを備えたテープフィーダにおけるカバーテープの巻取りリールにおいて、前記第１フランジのボス部に外周面を三対の円弧面に分割する三対の溝を設ける一方、前記第２フランジには前記第１フランジと対面する側の面に下端部に左右一対のローラを軸着した円弧状の外周を有するセグメントからなる巻枠部材を３個それぞれ所定の角度間隔で半径方向に往復移動自在に配設して巻取り部を形成したこと、前記第２フランジを前記第１フランジに結合すると、前記３個の巻枠部材の各一対のローラが前記三対の溝にそれぞれ一対づつ挿嵌されるように組み合わされるとともに、このように組み合わされた状態において該第２フランジを周方向に所定角度回転させると、前記３個の巻枠部材がそれぞれの一対のローラを介して各一対の溝から該第２フランジの回転方向前方側の各一対の円弧面上にそれぞれ乗り上がり、これによりそれら巻枠部材によって形成された前記巻取り部の外周が拡径されるようにしたこと、及び、該巻取り部の外周が拡径された状態において該第２フランジを逆方向に回転させると、これに伴って各巻枠部材が各一対のローラを介して各一対の円弧面上を逆行して各一対の溝にそれぞれ落ち込むことにより該巻取り部の外周が縮径されるようにしたことを特徴とする巻取りリール。
【請求項３】
ボス部を備えた駆動側のフランジである第１のフランジと、これに着脱自在に結合される第２のフランジと、この第２フランジ側に設けられた拡縮可能な外周を有する巻取り部と、その外周を拡径した状態に保持する係止手段とを備えたテープフィーダにおけるカバーテープの巻取りリールにおいて、前記第１フランジのボス部に外周面を三対の円弧面に分割する三対の溝を設ける一方、前記第２フランジには前記第１フランジと対面する側の面にその左右両側の下端部に互いに対をなすローラを軸着した略扇紙状の外形を有するセグメントからなる巻枠部材を３個それぞれ１２０度間隔で半径方向に往復移動自在に配設して巻取り部を形成したこと、前記第２フランジを前記第１フランジに結合すると、前記３個の巻枠部材の各一対のローラが前記三対の溝にそれぞれ一対づつ挿嵌されるように組み合わされるとともに、このように組み合わされた状態において該第２フランジを周方向に所定角度回転させると、前記３個の巻枠部材がそれぞれの一対のローラを介して各一対の溝から該第２フランジの回転方向前方側の各一対の円弧面上にそれぞれ乗り上がり、これによりそれら巻枠部材によって形成された前記巻取り部の外周が拡径されるようにしたこと、及び、前記第１フランジのボス部外周面に１２０度間隔で半径方向外方に突出する３個の係合アームを設ける一方、前記第１フランジと対面する側の第２フランジの面に前記３個の係合アームとそれぞれ係合する３個の係止突起を設け、前記３個の巻枠部材が前記各一対の円弧面上にそれぞれ乗り上がると、前記係止突起が前記係合アームとそれぞれ係合して前記巻取り部の外周を拡径した状態に保持し得るようにしたことを特徴とする巻取りリール。
【請求項４】
ボス部を備えた駆動側のフランジである第１のフランジと、これに着脱自在に結合される第２のフランジと、この第２フランジ側に設けられた拡縮可能な外周を有する巻取り部と、その外周を拡径した状態に保持する係止手段とを備えたテープフィーダにおけるカバーテープの巻取りリールにおいて、前記第１フランジのボス部に外周面を三対の円弧面に分割する三対の溝を設ける一方、前記第２フランジには前記第１フランジと対面する側の面にその左右両側の下端部に互いに対をなすローラを軸着した略扇紙状の外形を有するセグメントからなる巻枠部材を３個それぞれ１２０度間隔で半径方向に往復移動自在に配設して巻取り部を形成したこと、前記第２フランジを前記第１フランジに結合すると、前記３個の巻枠部材の各一対のローラが前記三対の溝にそれぞれ一対づつ挿嵌されるように組み合わされるとともに、このように組み合わされた状態において該第２フランジを周方向に所定角度回転させると、前記３個の巻枠部材がそれぞれの一対のローラを介して各一対の溝から該第２フランジの回転方向前方側の各一対の円弧面上にそれぞれ乗り上がり、これによりそれら巻枠部材によって形成された前記巻取り部の外周が拡径されるようにしたこと、該巻取り部の外周が拡径された状態において該第２フランジを逆方向に回転させると、これに伴って各巻枠部材が各一対のローラを介して各一対の円弧面上を逆行して各一対の溝にそれぞれ落ち込むことにより該巻取り部の外周が縮径されるようにしたこと、及び、前記第１フランジのボス部外周面に１２０度間隔で半径方向外方に突出する３個の係合アームを設ける一方、前記第１フランジと対面する側の第２フランジの面に前記３個の係合アームとそれぞれ係合する３個の係止突起を設け、前記３個の巻枠部材が前記各一対の円弧面上にそれぞれ乗り上がると、前記係止突起が前記係合アームとそれぞれ係合して前記巻取り部の外周を拡径した状態に保持し得るようにしたことを特徴とする巻取りリール。、
【請求項５】
前記第１フランジに前記ボス部に代えて円筒状の軸受体を設け、該軸受体の外周に前記三対の溝を設けたことを特徴とする請求項１から４までのいずれか１項に記載の巻取りリール。
【発明の詳細な説明】
【０００１】
【発明の属する技術分野】
本発明は、電子部品収納テープを用いてそれに収納されている電子部品を１個づつ電子部品自動装着装置に供給するテープフィーダに係り、殊にかかるテープフィーダにおけるカバーテープの巻取りリールに関する。
【０００２】
【従来の技術】
駆動側のフランジである第１のフランジと、これに着脱自在に結合される第２のフランジと、この第２フランジ側に設けられた拡縮可能な外周を有する巻取り部と、その外周を拡径した状態に保持する係止手段とを備えたテープフィーダにおけるカバーテープの巻取りリールは、例えば特開平５−１８６１４５号公報、特開平６−６１６８７号公報等により既に知られている。
【０００３】
【発明が解決しようとする課題】
この種の従来公知の巻取りリールは、そのいずれもが巻き取ったカバーテープの取り外しを容易にすることをその主たる目的とするものであるが、その目的達成のための方式としては、カバーテープを巻き取る巻取り部にスリットを形成し、これにより巻取り部の一部を半径方向に変形させるようにしたものであるとか、巻取り部を一対の円弧状部材で形成し、該円弧状部材を互いに接近離間自在に設けるとともに、その間に設けた回転レバーを回転させることにより巻取り部の外周形状を変化させるようにしたものとかがあり、前者のタイプは前記特開平５−１８６１４５号公報等に、後者のタイプは前記特開平６−６１６８７号公報等にそれぞれ記載されている。
【０００４】
テープフィーダは、前述したように、電子部品自動装着装置への電子部品の供給に使用されるものであるが、その供給作業の効率を向上させるためには、巻取りリールに巻き取られたカバーテープの除去に要する時間の大幅な短縮が必要となるほか、巻き取られたカバーテープの除去作業の反復に伴って生じ易い巻取りリール、殊にその巻取り部の早期摩耗ないし故障の防止、すなわち、その耐久性の向上が必要となる。そして、巻き取られたカバーテープの除去に要する時間を大幅に短縮するためには、第２のフランジの第１フランジからの手動取外し操作の際に作用する摩擦抵抗を極小化し、その取外し操作を容易に行えるようにすることが要請される。
前記した従来例のものは、前記の如き構成を有するため、摩擦抵抗が大きくなることを避けられず、巻取りリールに求められる上記の如き要請に十分応えることが困難である。
【０００５】
本発明は、上記の如き要請に応えるべくなされたものであって、巻取りリールに巻き取られたカバーテープを極めて迅速かつ容易に除去できるようにするとともに、頻繁な反復的使用に耐えられるよう耐久性を向上させ、もって電子部品自動装着装置への電子部品の供給作業効率の向上に資することができるようにしたテープフィーダにおけるカバーテープの巻取りリールを提供することをその主たる目的とするものである。
【０００６】
【課題を解決するための手段】
上記目的を達成するために、請求項１の発明に係る巻取りリールは、ボス部を備えた駆動側のフランジである第１のフランジと、これに着脱自在に結合される第２のフランジと、この第２フランジ側に設けられた拡縮可能な外周を有する巻取り部と、その外周を拡径した状態に保持する係止手段とを備えたテープフィーダーにおけるカバーテープの巻取りリールにおいて、前記第１フランジのボス部に外周面を三対の円弧面に分割する三対の溝を設ける一方、前記第２フランジには前記第１フランジと対面する側の面に下端部に左右一対のローラを軸着した円弧状の外周を有するセグメントからなる巻枠部材を３個それぞれ所定の角度間隔で半径方向に往復移動自在に配設して巻取り部を形成したこと、及び、前記第２フランジを前記第１フランジに結合すると、前記３個の巻枠部材の各一対のローラが前記三対の溝にそれぞれ一対づつ挿嵌されるように組み合わされるとともに、このように組み合わされた状態において該第２フランジを周方向に所定角度回転させると、前記３個の巻枠部材がそれぞれの一対のローラを介して各一対の溝から該第２フランジの回転方向前方側の各一対の円弧面上にそれぞれ乗り上がり、これによりそれら巻枠部材によって形成された前記巻取り部の外周が拡径されるようにしたことを特徴とするものである。
また、請求項２の発明に係る巻取りリールは、ボス部を備えた駆動側のフランジである第１のフランジと、これに着脱自在に結合される第２のフランジと、この第２フランジ側に設けられた拡縮可能な外周を有する巻取り部と、その外周を拡径した状態に保持する係止手段とを備えたテープフィーダーにおけるカバーテープの巻取りリールにおいて、前記第１フランジのボス部に外周面を三対の円弧面に分割する三対の溝を設ける一方、前記第２フランジには前記第１フランジと対面する側の面に下端部に左右一対のローラを軸着した円弧状の外周を有するセグメントからなる巻枠部材を３個それぞれ所定の角度間隔で半径方向に往復移動自在に配設して巻取り部を形成したこと、前記第２フランジを前記第１フランジに結合すると、前記３個の巻枠部材の各一対のローラが前記三対の溝にそれぞれ一対づつ挿嵌されるように組み合わされるとともに、このように組み合わされた状態において該第２フランジを周方向に所定角度回転させると、前記３個の巻枠部材がそれぞれの一対のローラを介して各一対の溝から該第２フランジの回転方向前方側の各一対の円弧面上にそれぞれ乗り上がり、これによりそれら巻枠部材によって形成された前記巻取り部の外周が拡径されるようにしたこと、及び、該巻取り部の外周が拡径された状態において該第２フランジを逆方向に回転させると、これに伴って各巻枠部材が各一対のローラを介して各一対の円弧面上を逆行して各一対の溝にそれぞれ落ち込むことにより該巻取り部の外周が縮径されるようにしたことを特徴とするものである。
そしてまた、請求項３の発明に係る巻取りリールは、ボス部を備えた駆動側のフランジである第１のフランジと、これに着脱自在に結合される第２のフランジと、この第２フランジ側に設けられた拡縮可能な外周を有する巻取り部と、その外周を拡径した状態に保持する係止手段とを備えたテープフィーダーにおけるカバーテープの巻取りリールにおいて、前記第１フランジのボス部に外周面を三対の円弧面に分割する三対の溝を設ける一方、前記第２フランジには前記第１フランジと対面する側の面にその左右両側の下端部に互いに対をなすローラを軸着した略扇紙状の外形を有するセグメントからなる巻枠部材を３個それぞれ１２０度間隔で半径方向に往復移動自在に配設して巻取り部を形成したこと、前記第２フランジを前記第１フランジに結合すると、前記３個の巻枠部材の各一対のローラが前記三対の溝にそれぞれ一対づつ挿嵌されるように組み合わされるとともに、このように組み合わされた状態において該第２フランジを周方向に所定角度回転させると、前記３個の巻枠部材がそれぞれの一対のローラを介して各一対の溝から該第２フランジの回転方向前方側の各一対の円弧面上にそれぞれ乗り上がり、これによりそれら巻枠部材によって形成された前記巻取り部の外周が拡径されるようにしたこと、及び、前記第１フランジのボス部外周面に１２０度間隔で半径方向外方に突出する３個の係合アームを設ける一方、前記第１フランジと対面する側の第２フランジの面に前記３個の係合アームとそれぞれ係合する３個の係止突起を設け、前記３個の巻枠部材が前記各一対の円弧面上にそれぞれ乗り上がると、前記係止突起が前記係合アームとそれぞれ係合して前記巻取り部の外周を拡径した状態に保持し得るようにしたことを特徴とするものである。
さらにまた、請求項４の発明に係る巻取りリールは、ボス部を備えた駆動側のフランジである第１のフランジと、これに着脱自在に結合される第２のフランジと、この第２フランジ側に設けられた拡縮可能な外周を有する巻取り部と、その外周を拡径した状態に保持する係止手段とを備えたテープフィーダーにおけるカバーテープの巻取りリールにおいて、前記第１フランジのボス部に外周面を三対の円弧面に分割する三対の溝を設ける一方、前記第２フランジには前記第１フランジと対面する側の面にその左右両側の下端部に互いに対をなすローラを軸着した略扇紙状の外形を有するセグメントからなる巻枠部材を３個それぞれ１２０度間隔で半径方向に往復移動自在に配設して巻取り部を形成したこと、前記第２フランジを前記第１フランジに結合すると、前記３個の巻枠部材の各一対のローラが前記三対の溝にそれぞれ一対づつ挿嵌されるように組み合わされるとともに、このように組み合わされた状態において該第２フランジを周方向に所定角度回転させると、前記３個の巻枠部材がそれぞれの一対のローラを介して各一対の溝から該第２フランジの回転方向前方側の各一対の円弧面上にそれぞれ乗り上がり、これによりそれら巻枠部材によって形成された前記巻取り部の外周が拡径されるようにしたこと、該巻取り部の外周が拡径された状態において該第２フランジを逆方向に回転させると、これに伴って各巻枠部材が各一対のローラを介して各一対の円弧面上を逆行して各一対の溝にそれぞれ落ち込むことにより該巻取り部の外周が縮径されるようにしたこと及び、前記第１フランジのボス部外周面に１２０度間隔で半径方向外方に突出する３個の係合アームを設ける一方、前記第１フランジと対面する側の第２フランジの面に前記３個の係合アームとそれぞれ係合する３個の係止突起を設け、前記３個の巻枠部材が前記各一対の円弧面上にそれぞれ乗り上がると、前記係止突起が前記係合アームとそれぞれ係合して前記巻取り部の外周を拡径した状態に保持し得るようにしたことを特徴とする。
また、請求項５の発明に係る巻取りリールは、上記いずれかのものにおいて、前記第フランジに前記ボス部に代えて円筒状の軸受体を設け、該軸受体の外周に前記三対の溝を設けたことを特徴とするものである。
【０００７】
【発明の実施の形態】
以下、本発明の実施の形態につきその具体例を示した添付図面を参照しながら詳細に説明する。
【０００８】
図１及び２は本発明に係るカバーテープの巻取りリールを具備するテープフィーダの斜視図であり、図中、１は該テープフィーダの基台、２は該基台に垂直に固定された取付板部、３は該基台の後部に固定され、その後方に張出するフレーム、４はこのフレーム３に回転自在かつ取外し自在に軸支されていて、電子部品収納テープ５が巻き付けられている供給リール、６は前後方向に水平に延在する前記基台１の先端寄りの部位に設けられていて、該供給リール４から間欠的に繰り出されて該基台１の案内面７上を前方へ走行する電子部品収納テープ５の本体５Ａからカバーテープ５Ｂを剥離してこれを後方へ折り返す剥離・折り返し部、８は該カバーテープ５Ｂを巻き取る巻取りリールである。
【０００９】
本発明に係る巻取りリール８は、前記取付板部２に軸支され、間欠的に回転駆動される駆動側のフランジである第１のフランジ８Ａと、これに着脱自在に供給される第２のフランジ８Ｂとからなっている。図３〜６は、図１及び２に示した巻取りリール８を拡大し、かつその構成をより詳しく図示したものである。それらの図からよく分かるように、第１フランジ８Ａはその中央部に軸受体Ｂを嵌着固定したボス部９を有し、該ボス部９にはその外周面を三対の円弧面１１Ａと１１Ａ′、１１Ｂと１１Ｂ′、１１Ｃと１１Ｃ′、に分割する三対の溝１０Ａと１０Ａ′、１０Ｂと１０Ｂ′、１０Ｃと１０Ｃ′が設けられている。これらの溝は、ボス部に代えて設けた軸受体Ｂに直接設けるようにしてもよい。また、これらの溝は、図示の例にあっては、Ｕ字状の溝として６０度の角度間隔で配設されている。これに対し、第２フランジ８Ｂは、その中央部に前記ボス部９より若干径大な中央孔８Ｂ′を有するとともに、前記第１フランジと対面する側の面にはその左右両側の下端部に互いに対をなすローラ１２、１２′を軸着した略扇紙状の外形を有するセグメントＳからなる巻枠部材１３が３個前記中央孔８Ｂ′の周囲を取り囲んだ態様でそれぞれ１２０度間隔で半径方向に往復移動自在に配設されており、これら３個の巻枠部材１３によりカバーテープ５Ｂを巻き取る外周面を拡縮可能とした巻取り部１４が形成されている。
【００１０】
前記第２フランジ８Ｂの巻取り部１４を形成する巻枠部材１３は、図７〜９に拡大して示してあるように、その本体を構成する前記セグメントＳの中央部にその外径を構成する円弧状の外周Ｓ１の中心点を指向する縦長の案内孔１５を有するとともに、該案内孔１５を挟んだ左右両側に該案内孔１５と平行に延在する縦長の補助案内孔１６、１７をそれぞれ具備している。そして、前記した中央の案内孔１５には、第１フランジ８Ａと対面する側の第２フランジ８Ｂの面に突設された案内突起１８が遊嵌されているとともに、前記補助案内孔１６、１７には、巻枠部材１３を該第２フランジ８Ｂの面に移動可能に保持する爪部材を兼ねる案内突起１９、２０がそれぞれ係合されている（図４及び６参照）。なお、第１フランジ８Ａとボス部９、第２フランジ８Ｂと前記突起１８、１９、２０は、図示の例にあっては、透明又は半透明の硬質合成樹脂でそれぞれ一体成形されたものである。
【００１１】
また、前記セグメントＳは、図示の例にあっては、透明又は半透明の硬質合成樹脂で一体成形されたものであり、その左右両側の下端部、すなわち、その互いに内方へ傾斜する両外側部Ｓ２と内径Ｓ３の両端部との結合部位に外周を丸く形成した突起部２１、２１′を備えており、該一対の突起部２１、２１′には前記ローラ１２、１２′がそのスパン間隔が第１フランジ８Ａのボス部９に設けた前記各一対の溝１０Ａと１０Ａ′、１０Ｂと１０Ｂ′、１０Ｃと１０Ｃ′の間隔と一致するように次に述べるような方法で軸着されている。すなわち、前記突起部２１、２１′には左右方向及び下方に開口する略半円形の凹所２２、２２′、前後方向に貫通する軸取付孔２３、２３′及び該軸取付孔と連通し、かつ下方にハの字状に拡開する切欠部２４、２４′がそれぞれ設けられており、ローラ１２、１２′は、図９に示すように、ローラ１２、１２′を前記凹所２２、２２′内に挿入するとともに、その軸２５、２５′を該切欠部２４、２４′から該突起部の弾性に抗して前記軸取付孔２３、２３′内にそれぞれ圧入してやることによって容易に装着される。取り外して交換することも可能である。図中、２６はメタルである。軸２５、２５′は黄銅等の合金で作られており、ローラ１２、１２′はデルリン等の耐摩耗性に富むエンジニアリングプラスチック又は軸２５、２５′と同様に黄銅等の合金で作られることが望ましい。なお、図４、図６、図７〜９に示したセグメントＳは両外側部Ｓ２の内側に略台形状の窓孔２７を有し、かつ外径Ｓ１を該両外側Ｓ２を越えて同一の曲率で延長する延長部Ｓ１′を有するものとして示したがその具体的形状は、実質的に扇形であればよく、後述するように変形することができる。
【００１２】
次に、本発明に係る巻取りリール８の巻取り部１４の外径の拡縮の態様を図１０ないし１４を参照して説明する。
先ず第１に、図１に示すように、第１フランジ８Ａと第２フランジ８Ｂとが互いに分離されている状態において、第２フランジ８Ｂを図２に示すように第１フランジ８Ａに結合すると、巻取り部１４を構成する３個の巻枠部材１３の各一対のローラ１２、１２′は第１フランジ８Ａのボス部９の三対の溝１０Ａと１０Ａ′、１０Ｂと１０Ｂ′、１０Ｃと１０Ｃ′にそれぞれ一対づつ挿嵌されるように組み合わされる（図１０及び１１参照）。次いで、このように組み合わされた状態において、第２フランジ８Ｂを周方向（図示の例においては時計方向）に所定角度回転させると、それら３個の巻枠部材１３がそれぞれの一対のローラ１２、１２′を介して各一対の溝から第２フランジ８Ｂの回転方向前方側の各一対の円弧面１１Ａと１１Ａ′、１１Ｂと１１Ｂ′、１１Ｃと１１Ｃ′上に乗り上がり、これにより３個の巻枠部材１３によって構成される巻取り部１４の外径が拡径される（図１２、１３、１４参照）。なお、図示の例にあっては、各巻枠部材の該円弧面上への乗り上がりを円滑に行えるようＵ字溝の一側、すなわち、前記回転方向前方側の曲率半径を大きくするとともに角を丸く形成してある。
【００１３】
このように巻取り部１４の外径が拡径された状態において該巻取り部によってカバーテープ５Ｂを巻き取ってゆくと、それに伴ってカバーテープ５Ｂの巻き締め力は次第に強くなるが、３個の巻取り部材１３は第１フランジ８Ａのボス部９の半径方向内方、すなわち、その中心に向かってそれぞれ押圧されるため、変形しないばかりでなく、巻き締め力をバランス良く均一に分散させることができる。
このようにしてカバーテープ５Ｂを巻き取った後、第２フランジ８Ｂを逆方向（図示の例においては反時計方向）に回転させると、各巻枠部材１３のローラ１２、１２′は各一対の円弧面上をころがりながら移動して前記各一対の溝にそれぞれ落ち込むため、巻取り部１４の外径は急激に縮径し、巻き取られたカバーテープ５Ｂと該巻取り部の外周との間に隙間Ｘが発生する（この隙間Ｘは溝の深さを深くすることによって大きくすることが可能である）。従って、この状態において第２フランジ８Ｂを取り外せば、該カバーテープをワンタッチで取り外すことが可能となる。
【００１４】
前述したように、各巻枠部材１３はそれぞれの一対のローラ１２、１２′の各一対の円弧面１１Ａ′、１１Ｂと１１Ｂ′、１１Ｃと１１Ｃ′上のころがりによって移動するため、巻き取られたカバーテープ５Ｂの巻き締め力によって前記円弧面に強く押し付けられていても、発生する摩擦はころがり摩擦であるため、すべり摩擦の場合と異なり接触摩擦が極めて小さいから、逆方向への戻しを極めて容易に行うことができるばかりでなく、加圧下での摩擦抵抗による早期摩耗や故障等を有効に防止することが可能となる。
【００１５】
巻き取り部１４の外周を拡径した状態に保持する係止手段は、図示の例においては、下記の如く構成されている。
図３及び図５において、２８Ａ、２８Ｂ及び２８Ｃは、第１フランジ８Ａのボス部９の外周面から１２０度間隔で半径方向外方にそれぞれ突出する係合アームであり、その先端部に係合突起２９をそれぞれ備えている。他方、第２フランジ８Ｂは、第１フランジ８Ａと対面する側の面に前記３個の係合アームの各係合突起２９とそれぞれ係合する３個の係止突起３０Ａ、３０Ｂ、３０Ｃをそれぞれ備えている。（図４、６、１０及び１２参照）。
【００１６】
図１０に示すように、各巻枠部材１３の各一対のローラ１２、１２′が前記溝にそれぞれ挿嵌されている状態では、各係止突起は、各係合アームから離脱した位置にあり（図１０参照）、第２フランジ８Ｂを回転させて各巻枠部材を図６及び１２に示すように各一対の円弧面上にそれぞれ乗り上げさせると、各係合アームはその係合突起２９において前記３個の係止突起とそれぞれ係合して前記巻取り部の外周を拡径した状態に確実に保持することができるようにされている。
【００１７】
図１５は巻枠部材の変形例を示したものであり、該巻枠部材１３′のセグメントＳは単純化された平面扇紙状の外形を有し、孔としては前記巻枠部材１３の案内孔１５、１６、１７と同一の案内孔１５′、１６′、１７′を有するのみである。そして、ローラ１２、１２′の取付構造も前記巻枠部材１３のそれと同一であり、その作動態様も図１６〜１８に示したように前記巻枠部材１３のそれと同様であるので、それらについての説明は重複をさけるため省略する。
【００１８】
本発明は、上記の如く構成されているので、これによれば、巻き取られたカバーテープを極めて迅速かつ容易に除去できるようにするとともに、頻繁な反復的使用に耐えられるよう耐久性を向上させ、もって電子部品自動装着装置への電子部品の供給作業効率の向上に資することができるようにしたカバーテープの巻取りリールが得られる。
【図面の簡単な説明】
【図１】本発明に係る巻取りリールを備えたテープフィーダの斜視図。
【図２】同上
【図３】巻取りリールの分解斜視図。
【図４】同上
【図５】第１フランジの一部破断斜視図
【図６】巻取りリールの一部破断斜視図。
【図７】巻枠部材の拡大斜視図。
【図８】巻枠部材の拡大正面図。
【図９】巻枠部材の分解正面図。
【図１０】巻取りリールの一部破断背面図。
【図１１】巻枠部材の作動説明図。
【図１２】巻取りリールの一部破断背面図。
【図１３】巻枠部材の作動説明図。
【図１４】同上。
【図１５】巻枠部材の変形例の正面図。
【図１６】同上変形例の作動説明図。
【図１７】同上。
【図１８】同上
【符号の説明】
８              巻取りリール
８Ａ            第１フランジ
８Ｂ            第２フランジ
Ｂ              軸受体
１０Ａ、１０Ａ′、１０Ｂ、１０Ｂ′、１０Ｃ、１０Ｃ′    溝
１１Ａ、１１Ａ′、１１Ｂ、１１Ｂ′、１１Ｃ、１１Ｃ′    円弧面
１２、１２′    ローラ
１３            巻枠部材
１３′          巻枠部材の変形例
Ｓ              セグメント
１４            巻取り部
２８Ａ、２８Ｂ、２８Ｃ    係合アーム
３０Ａ、３０Ｂ、３０Ｃ    係止突起
【図１】
2004296951.tif 000003
【図２】
2004296951.tif 000004
【図３】
2004296951.tif 000005
【図４】
2004296951.tif 000006
【図５】
2004296951.tif 000007
【図６】
2004296951.tif 000008
【図７】
2004296951.tif 000009
【図８】
2004296951.tif 000010
【図９】
2004296951.tif 000011
【図１０】
2004296951.tif 000012
【図１１】
2004296951.tif 000013
【図１２】
2004296951.tif 000014
【図１３】
2004296951.tif 000015
【図１４】
2004296951.tif 000016
【図１５】
2004296951.tif 000017
【図１６】
2004296951.tif 000018
【図１７】
2004296951.tif 000019
【図１８】
2004296951.tif 000020